(57)【特許請求の範囲】
【請求項１】
筒状の器具本体と、
前記器具本体に収容されるＬＥＤユニットと、
前記ＬＥＤユニットに給電する電源ユニットと、
前記ＬＥＤユニットからの光を透過し、前記器具本体に有する開口面を覆うカバーと、
前記器具本体の内側に有底筒状で、その側面高さが不均一の絶縁カバーと、を備え、
前記電源ユニットは、前記絶縁カバーの内側に収容され、基板と、前記基板に実装される複数の電子部品と、を有し、前記複数の電子部品のうちの高温となるものが前記絶縁カバーにおける側面高さが低い壁側に寄って配置される照明器具。
【請求項２】
請求項１に記載の照明器具において、
前記絶縁カバーは、その側面高さが高い壁側に、前記電源ユニットに有する前記基板の抜け防止用のツメを有する照明器具。
【発明の詳細な説明】
【技術分野】
【０００１】
本発明は、ＬＥＤ素子を光源として天井面等に設置される照明器具に関する。
【背景技術】
【０００２】
従来より、器具本体内にＬＥＤユニットが収納され、取付台を介してＬＥＤユニットの反対側に電源ユニットが配置された照明器具が知られている（例えば、特許文献１参照）。
【先行技術文献】
【特許文献】
【０００３】
【特許文献１】特開２００８−２９３９２８号公報（図１、段落番号００１８）
【発明の概要】
【発明が解決しようとする課題】
【０００４】
一般的に、器具本体に電源ユニットを収納する照明器具においては、電源ユニットを絶縁するために絶縁カバーが用いられる。
図４に示すように、このような従来の照明器具１００は、器具本体１０１に収納されている電源ユニット１０２を覆って絶縁カバー１０３が取り付けられており、絶縁カバー１０３により、電源ユニット１０２と他の電気部品との間に電流が流れないように遮断している。
しかし、このような従来の照明器具１００は、電源ユニット１０２が発熱した場合に絶縁カバー１０３が電源ユニット１０２を覆っているために、電源ユニット１０２の放熱を反って妨げるようになっている。そのため、電源ユニット１０２の放熱性が良好ではない。
一方、前述した特許文献１に記載された照明器具は、電源ユニットの周りを覆っている器具本体が単純な円筒形状であって上部が開放されているために、電源ユニットの上方への放熱性は有するものの、電源ユニットの側方への放熱性に優れるとは言えず、上述した従来の照明器具１００と同様に放熱性が良好ではない。
【０００５】
本発明は、前述した課題を解決するためになされたものであり、その目的は、放熱性を向上できる照明器具を提供することにある。
【課題を解決するための手段】
【０００６】
本発明に係る照明器具は、筒状の器具本体と、前記器具本体に収容されるＬＥＤユニットと、前記ＬＥＤユニットに給電する電源ユニットと、前記ＬＥＤユニットからの光を透過し、前記器具本体に有する開口面を覆うカバーと、前記器具本体の内側に有底筒状で、その側面高さが不均一の絶縁カバーと、を備え、前記電源ユニットは、前記絶縁カバーの内側に収容され、基板と、前記基板に実装される複数の電子部品と、を有し、前記複数の電子部品のうちの高温となるものが前記絶縁カバーにおける側面高さが低い壁側に寄って配置される。
【０００７】
本発明に係る照明器具は、前記絶縁カバーは、その側面高さが高い壁側に、前記電源ユニットに有する前記基板の抜け防止用のツメを有する。
【発明の効果】
【０００９】
本発明の照明器具によれば、放熱特性を向上できるという効果を奏する。
【図面の簡単な説明】
【００１０】
【図１】本発明に係る一実施形態の照明器具の垂直断面図
【図２】図１の照明器具における絶縁カバーの電源ユニット組込前の斜め上方から視た外観斜視図
【図３】図２の絶縁カバーの電源ユニット組込後の斜め上方から視た外観斜視図
【図４】従来の照明器具の縦断面図
【発明を実施するための形態】
【００１１】
以下、本発明の一実施形態に係る照明器具について図面を参照して説明する。
図１に示すように、本発明の一実施形態である照明器具１０は、器具本体１１と、ＬＥＤユニット１２と、電源ユニット１３と、カバー１４と、絶縁カバー１５と、レンズ１６とを備えて不図示の天井面側に設置される。
【００１２】
器具本体１１は、例えば硬質の樹脂材料を用いて略円筒形状に形成されている。器具本体１１は、下方の端部に開口部１７を有し、この開口部１７の内周側に雌ネジ部１８を有する。器具本体１１は、その内周部に器具本体１１の上部と下部とを隔離するための隔板部１９を有する。隔板部１９は、底部に底板２０を有し、上部の内側に絶縁カバー収容部２１を有し、底板２０の中央部に絶縁カバー位置決め孔２２を有する。隔板部１９は、底板２０の下面の中央部にＬＥＤ基板取付部２３を有し、ＬＥＤ基板取付部２３の外周部にネジ孔２４が形成されたボス２５を有する。
【００１３】
ＬＥＤユニット１２は、円環形状に形成されたＬＥＤ基板２６の下面に複数のＬＥＤ素子２７が実装されている。ＬＥＤ基板２６は、不図示のプリント回路が電源ユニット１３に電気的に接続される。ＬＥＤユニット１２は、ＬＥＤ基板２６が隔板部１９の底板２０の下面のＬＥＤ基板取付部２３に取り付けられている。ＬＥＤユニット１２は、電源ユニット１３からの給電により単白色やＲＧＢの組み合わせによる白色の光を発光する。そして、ＬＥＤ基板取付部２３の外周部のボス２５にレンズ１６に有するフランジ２８が挿通され、フランジ２８を介してボス２５のネジ孔２４にネジ２９がネジ込まれることにより隔板部１９の下面にＬＥＤユニット１２を覆ってレンズ１６が取り付けられている。
【００１４】
電源ユニット１３は、電源ユニット基板３０上に、ネットワーク回路（図３参照）３１やＡＣ−ＤＣ変換回路（図３参照）３２や平滑回路（図３参照）３３等が実装されており、外部から与えられる商用交流電源をＬＥＤ素子２７用の直流電源に変換する。電源ユニット１３は、ネットワーク回路３１にインダクタンスとなるトランス等を内蔵しているために動作中に発熱して高温となる。電源ユニット基板３０は、外周部に位置決め孔３４を有する。
【００１５】
カバー１４は、例えば透明や乳白色の樹脂製であって、器具本体１１と同様の外径寸法を有する有底形状に形成されている。カバー１４は、上端部の外周部に雄ネジ部３５を有し、この雄ネジ部３５が器具本体１１の雌ネジ部１８にネジ込まれることにより器具本体１１に取り付けられる。
【００１６】
図２に示すように、絶縁カバー１５は、例えば、絶縁性を有する樹脂材料を用いて有底の略円筒形状に形成されている。絶縁カバー１５は、底部の底板３６の外周部に側板３７を有し、底板３６の下面の中央部に器具本体１１の底板２０の絶縁カバー位置決め孔２２に位置決めされる凸部（図１参照）３８を有する。側板３７は、内周部に電源ユニット収納部３９を有し、高さ寸法がいちばん高い第１側板部４０と、第１側板部４０よりも高さ寸法が低い第２側板部４１と、第２側板部４１よりも高さ寸法が低い第３側板部４２とが円周方向に並べられている。即ち、側板３７は、それぞれの高さ寸法が不均一の第１側板部４０と第２側板部４１と第３側板部４２とから形成されている。なお、絶縁カバー１５は、側板３７の内側に放熱用のフィンを形成することもできる。
【００１７】
絶縁カバー１５は、高さ寸法がいちばん高い第１側板部４０の一部に電源ユニット基板３０の抜け防止用の可撓係止片４３を有する。絶縁カバー１５は、可撓係止片４３の近傍の底板３６に、電源ユニット基板３０の位置決め孔３４が挿通されるテーパ状の位置決め突起４４が形成されている。
【００１８】
次に、絶縁カバー１５に電源ユニット１３を取り付ける手順について説明する。
図３に示すように、まず、インダクタンスとなるトランスを内蔵しているネットワーク回路３１、ＡＣ−ＤＣ変換回路３２、平滑回路３３等が実装されている電源ユニット基板３０が絶縁カバー１５の電源ユニット収納部３９内に挿入されていく。このとき、電源ユニット基板３０の位置決め孔３４が絶縁カバー１５の位置決め突起４４に外挿されていくことにより電源ユニット基板３０の向きが絶縁カバー１５の所定の方向に位置決めされ、電源ユニット基板３０の進行に伴い、可撓係止片４３が弾性変形される。そして、電源ユニット基板３０の所定の位置までの進行に伴い、可撓係止片４３が電源ユニット基板３０の上面に係止されることにより、電源ユニット基板３０が絶縁カバー１５の所定位置に取り付けられる。
【００１９】
絶縁カバー１５に取り付けられた電源ユニット１３は、インダクタンスとなるトランスを内蔵しているネットワーク回路３１が、高さ寸法のいちばん低い第３側板部４２に対応して配置される。これにより、電源ユニット１３は、高温となるネットワーク回路３１の上方および側方に大きな容量の放熱用スペースが形成されることになる。次に、電源ユニット１３が取り付けられた絶縁カバー１５の凸部３８が器具本体１１における底板２０の絶縁カバー位置決め孔２２に落とし込まれて位置決めされることにより、絶縁カバー１５が器具本体１１に取り付けられる。なお、ネットワーク回路３１に代えて、他の発熱を生ずるＡＣ−ＤＣ変換回路３２や平滑回路３３や他の電子回路等を、高さ寸法のいちばん低い第３側板部４２に対応して配置することもできる。
【００２０】
このような照明器具１０は、器具本体１１が不図示の天井施工面にネジ止めされた後に、カバー１４が器具本体１１にネジ込まれる。そして、電源ユニット１３からの給電によりＬＥＤユニット１２のＬＥＤ素子２７が発光され、ＬＥＤユニット１２からの光がレンズ１６およびカバー１４を透過して下方である床面側を照射する。
【００２１】
従って、この一実施形態の照明器具１０においては、絶縁カバー１５において、第１側板部４０と第２側板部４１と第３側板部４２との高さ寸法が不均一な側板３７の内周側の電源ユニット収納部３９内に電源ユニット１３が収納される。
これにより、この一実施形態の照明器具１０においては、電源ユニット１３の上方に加えて側方への放熱用スペースが確保されることにより放熱性を向上できる。
【００２２】
また、この一実施形態の照明器具１０においては、絶縁カバー１５において、高さ寸法がいちばん高い第１側板部４０の一部に電源ユニット基板３０の抜け防止用の可撓係止片４３を有する。
これにより、この一実施形態の照明器具１０においては、絶縁カバー１５に対する電源ユニット基板３０の所定の位置までの進行に伴い、可撓係止片４３が電源ユニット基板３０の上面に係止されることにより、電源ユニット基板３０が絶縁カバー１５に取り付けられるために、ネジによるネジ止め等を行うことなく簡単な取付けができる。また、可撓係止片４３が、高さ寸法がいちばん高い第１側板部４０の一部に形成されているために、可撓係止片４３の可撓ストロークが大きくなって電源ユニット基板３０に確実に係止できる。
【００２３】
更に、この一実施形態の照明器具１０においては、インダクタンスとなるトランスを内蔵していて動作中に高温となるネットワーク回路３１が、絶縁カバー１５において、高さ寸法のいちばん低い第３側板部４２に対応して配置される。
これにより、この一実施形態の照明器具１０においては、電源ユニット１３において、動作中に高温となるネットワーク回路３１の上方および側方に大きな容量の放熱用スペースが形成されるために、電源ユニット１３の放熱が効率良く行われる。
【００２４】
なお、一実施形態で使用した器具本体１１、ＬＥＤユニット１２、電源ユニット１３、カバー１４、レンズ１６等は例示したものに限定するものではなく適宜変更が可能である。
【符号の説明】
【００２５】
１０  照明器具
１１  器具本体
１２  ＬＥＤユニット
１３  電源ユニット
１４  カバー
１５  絶縁カバー
３１  ネットワーク回路（電子部品）
３２  ＡＣ−ＤＣ変換回路（電子部品）
３３  平滑回路（電子部品）
４３  可撓係止片（ツメ）
【図１】
0005489346.tif 000002
【図２】
0005489346.tif 000003
【図３】
0005489346.tif 000004
【図４】
0005489346.tif 000005